(57)【要約】【課題】  微小プラスチックに伴う有害物質の人体内への取込み防止を水処理設備内において図ることにより健康が阻害されないようにした沈澱池における微小プラスチック捕集装置を提供することを目的とする。【解決手段】  左右対向状の側壁とこれに直交する上流・下流側端壁および底壁とを備えて平面視矩形状とされ底壁における上流側一端にピットを備えるとともに底壁上に沈澱する汚泥を前記ピットに掻き寄せる汚泥掻寄手段と水面に浮上するスカムを池外に排出するスカム除去手段とを備える矩形沈澱池において、池内の下流域には、微小プラスチックを捕集する捕集手段と、捕集された微小プラスチックを取り除く除去手段とが設けられている。【選択図】図１
2020069466.tif 000002
【特許請求の範囲】
【請求項１】
左右対向状の側壁とこれに直交する上流・下流側端壁および底壁とを備えて平面視矩形状とされ底壁における上流側一端にピットを備えるとともに底壁上に沈澱する汚泥を前記ピットに掻き寄せる汚泥掻寄手段と水面に浮上するスカムを池外に排出するスカム除去手段とを備える矩形沈澱池において、池内の下流域には、微小プラスチックを捕集する捕集手段と、捕集された微小プラスチックを取り除く除去手段とが設けられている沈澱池における微小プラスチック捕集装置。
【発明の詳細な説明】
【技術分野】
【０００１】  本発明は、沈澱池における微小プラスチック捕集装置に関する。
【背景技術】
【０００２】  矩形沈澱池は、左右対向状の側壁とこれに直交する上流・下流側端壁および底面（底壁）とを備えて平面視矩形状とされるとともに底面における上流側一端に汚泥を落とし込むためのピットを備えたものが代表的なものである。そうした矩形沈澱池においては、上流側端壁に多孔状整流孔が設けられ、それら整流孔を通じて汚水を導入して汚水から汚泥を沈降させる一方スカムを浮上させるとともに、沈降した汚泥は汚泥掻寄装置による掻き寄せでピットまで持ち込まれて吸揚げ処理されスカムの方はスカム除去装置に誘引されて外部に排除されるようにされている。そうした装置の一つとして特許文献１に示すものがある。
【先行技術文献】
【特許文献】
【０００３】
【特許文献１】実用新案登録第２６０７６７６号
【発明の概要】
【発明が解決しようとする課題】
【０００４】  特許文献１は、池の底面に敷設されたガイドレールに前後に進退する作動体（機体）を設け、その作動体に汚泥掻寄部材（スクレーパ）を装備してピット方向への前進時に沈澱した汚泥をピットまで掻き寄せ後退時には汚泥掻寄部材を持ち上げて非掻寄状態にすることで汚泥をピットまで掻き寄せ落とし込むようになっているとともに、作動体には支柱を介してスカム掻寄部材を伏倒自在に備えて水面上に設置したスカムスキマーとともに機能して水面に浮かぶスカムを回収除去するようになっている。こうして汚水から汚泥およびスカムを沈澱・浮上させて池外に除去したあとの清澄水は池下流側に設置したＶノッチ付き越流堰を通じて池外に排出するようにしたものである。こうして沈澱池内に導入された汚水からは沈澱・浮上分離処理により全ての含有物質が取り除かれるようにしてある。
しかし、現実には、前記清澄水と呼ばれる水は完全に清澄化したものではなく極く一部に微小プラスチック（マイクロプラスチック）を含むものであって、そうした水が越流堰を通じて池外に導かれて数％が循環する結果として、人の体内から検出されるに至っていることも確認されている。こうした微小プラスチックは、油に溶けやすい性質のＰＣＢや農薬であるＤＤＴ等の有害物質を含むものになっていることからそれらが人体の中の臓器（肝臓など）や脂肪などに蓄積反応して健康を阻害するおそれがあるとして新たな環境問題を提起している。【０００５】  本発明は、このような問題を解決しようとするもので、微小プラスチックに伴う有害物質の人体内への取込み防止を水処理設備内において図ることにより健康が阻害されないようにした沈澱池における微小プラスチック捕集装置を提供することを目的とする。
【課題を解決するための手段】
【０００６】  本発明は上記目的を達成するため、請求項１に記載の発明は、左右対向状の側壁とこれに直交する上流・下流側端壁および底壁とを備えて平面視矩形状とされ底壁における上流側一端にピットを備えるとともに底壁上に沈澱する汚泥を前記ピットに掻き寄せる汚泥掻寄手段と水面に浮上するスカムを池外に排出するスカム除去手段とを備える矩形沈澱池において、池内の下流域には、微小プラスチックを捕集する捕集手段と、捕集された微小プラスチックを取り除く除去手段とが設けられている。
【発明の効果】
【０００７】  上述したように本発明は、左右対向状の側壁とこれに直交する上流・下流側端壁および底壁とを備えて平面視矩形状とされ底壁における上流側一端にピットを備えるとともに底壁上に沈澱する汚泥を前記ピットに掻き寄せる汚泥掻寄手段と水面に浮上するスカムを池外に排出するスカム除去手段とを備える矩形沈澱池において、池内の下流域には、微小プラスチックを捕集する捕集手段と、捕集された微小プラスチックを取り除く除去手段とが設けられているので、微小プラスチックに伴う有害物質の人体内への取込み防止を水処理設備内において図ることにより健康が阻害されないようにした沈澱池における微小プラスチック捕集装置を提供することができる。
【図面の簡単な説明】
【０００８】
【図１】  本発明の一実施形態である沈澱池における微小プラスチック捕集装置を示す平面図。
【図２】  図１のＩＩ−ＩＩ線断面図。
【図３】  図１の一部分解斜視図。
【図４】  図１および図２の排水部分の一部切欠側断面図。
【図５】  図４のＶ−Ｖ線断面図。
【図６】  図５のＶＩ−ＶＩ線拡大断面図。
【図７】  他の実施形態を示す断面図。
【図８】  他の実施形態を示す断面図。
【図９】  他の実施形態を示す平面図。
【図１０】  図９のＸ−Ｘ線断面図。
【図１１】  他の実施形態を示す平面図。
【図１２】  図１１のＸＩＩ−ＸＩＩ線断面図。
【図１３】  他の実施形態を示す斜視図。
【図１４】  他の実施形態を示す側断面図。
【図１５】  円形沈澱池の実施形態を示す縦断面図。
【図１６】  円形沈澱池の他の実施形態を示す縦断面図。
【図１７】  円形沈澱池の他の実施形態を示す縦断面図。
【図１８】  円形沈澱池の他の実施形態を示す縦断面図。
【図１９】  河川浄化システムを示す平面図。
【図２０】  図１９のＨ−Ｈ線断面図。
【図２１】  池内の浄化システムを示す平面図。
【図２２】  フロス分離浄水化システムを示す縦断面図。
【発明を実施するための形態】
【０００９】  以下、本発明である沈澱池における微小プラスチック捕集装置の一実施形態を説明する。
図１ないし図６はその一実施形態を示すもので、１は矩形沈澱池で、左右対向状の側壁２，２とそれに直交する上流・下流側端壁３，４および底壁５とを備えて平面視矩形状とされ底壁５における上流側一端に吸揚ポンプ付きピット６を備えるとともに底壁５上に沈澱する汚泥を前記ピット６に掻き寄せる汚泥掻寄手段８と水面９に浮上するスカムを池外に排出するスカム除去手段１０とを備える。
【００１０】  上流側の端壁３の上部は多孔を備えた整流板１２になっていてその多孔を通じて導入される汚水は下流側（図１・図２の右方向）へ向けて緩徐に流される。
汚泥掻寄手段８は、池底幅間中央を通るように敷設されたガイドレール１４と、その上を車輪１５…を介して前後に進退する前後の台車１６，１６と、これら台車１６，１６間を接続する連結パイプ１７と、各台車１６，１６に備えた上下運動可能な汚泥スクレーパ１８とを備える。２０は駆動手段で、池上の駆動源２１とローラー２２とリンクチェーン２３などを備えて図１および図２の左方向に前進する際には汚泥スクレーパ１８を垂直な掻寄状態にしピット６上に前進したあとの後退時には汚泥スクレーパ１８は持ち上げられて非掻寄状態になって復帰するようになっている。
【００１１】  スカム除去手段１０は、左右側壁２，２間に装架されたトラフ２５と、その前側に備えた可動堰２６と、図示しない堰駆動手段とを備えている。可動堰２６は堰駆動手段により定期的に上下して水面９よりも没したときに水面に浮遊するスカムを水とともに呑み込みトラフ２５内の樋空間を通じて池外に自然に排出されて次の処理設備に搬送されるようになっている。
【００１２】  ２８は越流堰で、スカム除去手段１０の下流側の水面９上にその長手を池長手向きに対応させて左右複列に設けられ、樋状の本体に沿ってＶノッチ２９を備え、本体は図１の下流側端壁４の穴に連通状に接続されるとともに、外部には自動制御のバルブ３０を備える。
【００１３】  沈降する汚泥は汚泥掻寄手段８でまた水面のスカムはスカム除去手段１０によってそれぞれ除去処理される。それでも図２に矢印Ｘで示すようにスカム除去手段１０の底側域には、微細ゴミ・スカム・フロス（微細スカム）などやさらに微小プラスチック（マイクロプラスチック）を含むものが下流側へ向けて流れ行く。そこで、スカム除去手段１０の上流側に対応する側壁２，２上部にアングル材あるいはリップ付き溝型鋼などによる水平受材３２，３２が固定され、それら両者間には、上流側から下流側へ向けて粗目・中目・細目のプレフィルター３３，３４，３５の順に間隔を置いて配備されている。各プレフィルター３３，３４，３５はぶら下げ式ですだれ状にしたり微生物の巣構造を形成したりし、素材として強化樹脂や炭素繊維、ヤシの繊維などを利用して構成してもよい。
【００１４】  台車１６上には支柱３７が立てられ、その上端には池幅方向に水平に伸びた離脱促進部材３８が設けられていて図２のように進退する際にプレフィルター３３，３４，３５に当たることにより付着した微細ゴミ・スカム・フロス（微細スカム）などを揺り動かして前後間での相互摩擦干渉作用により付着した微細ゴミなどの沈降を促すようにしてある。沈降したものは後で汚泥スクレーパ１８によりピット６へ持ち込まれポンプアップして池外に排除されるようになっている。
【００１５】  それでもまだプレフィルター３３，３４，３５を通り過ぎて矢印ｘのように下流側へと進むものがありそれが微小プラスチックである。微小プラスチックは直径５ｍｍ以下のマイクロプラスチックと呼ばれるものの他に、極微細（数μｍ以下）なナノプラスチックをここで含むこととする。プレフィルター３５は、図２のように垂直向き３５ａと底水平向き３５ｂとでもって構成することができる。
【００１６】  それら微小プラスチックは前記のように有害物質を含むことがあり、それをここで捕集し除去するようにしてある。即ち、４０は微小プラスチック捕集装置（補修手段）で、捕集パイプ４１…と導水支持パイプ４２とパイプブラケット４３とを有する。
捕集パイプ４１は、図１の下欄に拡大して示すように、断面が細長状逆三角形をしたステンレス製リング４１ａ…を軸方向に微少な間隔を置いて多数配列して図示しない長手連結バーでもって全体的に円筒型に形成したものであり、その長手一端（図１の下端）は閉止あるいは多孔状とし長手他端（図１の上端）は導水支持パイプ４２に連通状に接続するために開放状でフランジ付きにして長手が池幅方向に向くように水平に配置してある。この捕集パイプ４１は、スカム除去手段１０の下方位置から数ｍ下流側に下がった水中下２〜３ｍの高さ位置に前後に１〜２ｍ間隔を置いて複数本（３本）配置されている。
【００１７】  導水支持パイプ４２は、側面クランク型で、下部水平管部４４と垂直管部４５および上部水平管部４６を備える。上部水平管部４６は水面９と同レベルとされる。導水支持パイプ４２の端部には、Ｖノッチ型堰板４８を挟んだ状態の接続体４９が設けられ、水位が変動してもＶノッチ部分で水量制御できるようになっている。５０は排水パイプで、接続体４９に接続されるように下流端壁４に貫通して取り付けられている。
５２は逆洗用パイプで３本の捕集パイプ４１…の中心を通るように配備されている。逆洗用パイプ５２や図示しないコンプレッサーなどは捕集された微小プラスチックを取り除く除去手段の一つであり、エアー駆動式あるいは水駆動式若しくはエアーと水との混合駆動式とする。
【００１８】  ５４は塩素混和地あるいは河川などの次の処理設備で、排水パイプ５０の排水経路に直接接続される場合と微小プラスチックの終捕集装置５５を経由して間接的に接続される場合とがある。図１および図２ではそれらを併せて図示してあるが実際には直接的に接続される場合と間接的に接続される場合とは別に構成されることになる。終捕集装置５５は、図４ないし図６にその詳細が示されるように、捕集パイプ５６を有し、この捕集パイプ５６は、断面が細長状逆三角形をしたリング５６ａ…を軸方向に微少な間隔を置いて多数配列して図示しない長手連結バーでもって全体的に円筒型に形成したものであり、その長手一端が排水パイプ５０に連通してあるとともに他端にはスクリュウ５７付き濃縮パイプ５８が接続されている。捕集パイプ５６内には微小プラスチックを除去するための回転ブラシ装置５９が設けられて除去されたゴミは前記濃縮パイプ５８内に持ち込まれて濃縮されて排出され焼却処分されるようになっている一方、捕集パイプ５６の外周には排水案内筒部６０が設けられていて捕集パイプ５６から出された排水を河川とか水道用として次の処理設備５４に導くようになっている。
【００１９】  前記実施形態においては、スカム除去手段１０の底側域において矢印Ｘで示すように微細ゴミ・スカム・フロス（微細スカム）などやさらに微小プラスチック（マイクロプラスチック）を含むものが下流側へ向けて流れ行くが、その流れには粗目・中目・細目のプレフィルター３３，３４，３５が対向配置されているため、微細ゴミ・スカム・フロス（微細スカム）などが順次吸着により捕集されてゆく。これらプレフィルター３３，３４，３５には離脱促進用部材３８が進退して干渉するようにするので捕集されたものは下降してゆき汚泥スクレーパ１８によりピット６まで掻き寄せられて池外に排除されることになる。それでも矢印ｘのように通過してゆく流れは、水圧と水頭差による吸水流れが作用している捕集パイプ４１内に誘引されることになり、その際、捕集パイプ４１のリング４１ａ間の隙間が極めて微小であることにより流れに含まれて来る微小プラスチック分はそこを通過せず吸着されることになる。捕集パイプ４１の外周には微小プラスチックが多量に吸着して目詰まり現象を起こすことがあるが、その場合、図２のように池内の水位を下げた状態にして逆洗用パイプ５２を通じて逆洗処理を行えば微小プラスチックは離脱・下降してゆき、それらは汚泥スクレーパ１８によりピット６を通じて池外に排除され焼却処理されることになる。
【００２０】  前記実施形態では越流堰２８が構成されているが、この越流堰２８は、通常はバルブ３０が閉止してあって機能しないようになっているが、例えば、捕集パイプ４１が水量過多により目詰まりを起こして対応できなくなった場合などにバルブ３０を自動開放して過剰な微小プラスチックをこちらの堰２８を越えさせて応急処置できるようにするものである。しかし、前記越流堰２８は構成しないこともある。
【００２１】  前記実施形態では捕集パイプが円筒状をしていたが、図２の下欄に示すように楕円や長円型にしたり三角形など多角形とすることもある。
前記実施形態では終捕集装置５５が水平になっていたが、図７に示すように、縦置き式にしたり、図８に示すように、斜め置き式にすることがある。図７に示す縦置き式などの場合には、駆動源として水流で回る羽根６１を採用することができる。
前記捕集パイプに捕集された微小プラスチックはレーザー光で焼失処理してもよい。
【００２２】  前記実施形態では捕集パイプ４１が流れに対し水平方向に前後をなして配列されていたが、図９および図１０のように上下に複数配列式とすることがある。このように上下に複数配列式とあるのは、図１０の下欄のように斜め軸を基準に配列するものを含む。
また、捕集パイプ４１は、図１１および図１２に示すように、縦軸状に向けて池幅方向に複数本配列する方式にしてもよい。
【００２３】  前記離脱促進用部材３８は、水平バー式にしてあったが、図１３に示すように、水平バーに多数本の縦バーを立直した櫛型のものにしてもよい。また、離脱促進用部材３８は水平バー式であったが、図１３の右欄に示すように、Ｖ字あるいはへの字状をしたものにしてプレフィルター３３，３４，３５を寄せ集めたり引き離したりしながらさらに前後にも揺れ動かすようにして捕集したものを離脱させるように構成してもよい。
【００２４】  前記導水支持パイプ４２は全て固定パイプ方式であってＶノッチの水位変動機能により対応するタイプとしてあったが、図１４に示すように、導水支持パイプ６３を下部水平管部６４と垂直管部６５とを固定式とする一方上部管部６６を水位変動式としてもよい。上部管部６６は、基部可撓チューブ６７を下流端壁４に介して上下運動可能とされるとともに先端には水位変動を受けて上部管部６６を上下させるためのフロート６８を備えたものであり、さらに上部管部６６と垂直管部６５とは水位変動時でも連通状態を保つようにするため先端下部可撓チューブ７０で連結してある。この場合、前記水位変動式であることにより越流堰７１は構成する必要はない。
【００２５】  図１５は円形沈澱池における微小プラスチック捕集装置についての一例を示している。７４は躯体の底壁、７５は躯体の周壁、７６は駆動源、７７は回転軸、７８はレーキ、７９はスクレーパアーム、８０はスカムスクレーパ、８１はセンターウエル、８２はＶノッチ付きの越流堰、８３はバッフルプレートである。
【００２６】  この円形沈澱池には微細ゴミ・スカム・フロス（微細スカム）などやさらに微小プラスチック（マイクロプラスチック）を含むものが導入され浮遊することになるが、パンチングメタルや他の濾材でなるプレフィルター８５をバッフルプレート８３の底部と周壁７５との間に横断状をなすように固定しておくことによってそこを通過する際にまず微細ゴミ・スカム・フロス（微細スカム）などから捕集されるようにしてある。プレフィルター８５に捕集されたものは目詰まりのおそれがあるため、除去ブラシ８６で除去し沈降させレーキ７８で池外に排除するようにしてある。ブラシ８６は、スクレーパアーム７９から垂下させたブラシアーム８７により周回自在に取り付けてある。
【００２７】  この円形沈澱池では、プレフィルター８５を通過したあとの水はＶノッチから越流堰８２内に導かれて池外に排出されるようになっているが、その出口パイプ８９からの水はそのまま放流あるいは塩素混和地に導かれるのでなく、ここでは、終捕集装置９０に導かれて微小プラスチックを捕集できるようにしてある。
【００２８】  終捕集装置９０は、図７と同じ縦置き式のものにすることができる。即ち、９１は捕集パイプ、９２は排水案内筒部、９３はスクリュウ、９４は濃縮パイプ、９５は回転ブラシ装置、９６は駆動源であり、捕集パイプ９１の内周に付着した微小プラスチックは定期的にブラシ９５で除去されるとともにスクリュウ９３で濃縮されて下向きに排出されコンベア９８で次の焼却場に搬送される一方、捕集パイプ１を通過した水は矢印のように外部である河川や塩素混和地など次の処理行程に持ち込まれる。
【００２９】  図１６は円形沈澱池についての他の実施形態を示すもので、バッフルプレート自体が第１プレフィルター１００でその下端と周壁７５間に横断状の第２プレフィルター１０１を配備してこれらにはブラシ装置１０２をもって捕集分を除去できるようにしてある。そして、外部には前記と同様な構造の終捕集装置９０を装備してある。即ち、９１は捕集パイプ、９２は排水案内筒部、９３はスクリュウ、９４は濃縮パイプ、９５は回転ブラシ装置、９６は駆動源であり、捕集パイプ９１の内周に付着した微小プラスチックは定期的にブラシ９５で除去されるとともにスクリュウ９３で濃縮されて下向きに排出されコンベア９８で次の焼却場に搬送される一方、捕集パイプ９１を通過した水は矢印のように外部である河川や塩素混和地など次の処理行程に持ち込まれる。図１５および図１６において池内で捕集されたものを除去する場合、水面８４を下げて除去作業しやすくなるようにしてもよい。
【００３０】  図１７は円形沈澱池についての他の実施形態を示すもので、図６に示すような捕集パイプ（あるいはチューブ）１０６の複数本をＴ字型排水パイプ１０７…で繋いで環状パイプとなしてバッフルプレート８３と越流堰８２のある底側方を通るように設置するとともに各排水パイプ１０７の一端は周壁７５を通して外部に突出するようにし、さらに排水パイプ１０７には終捕集装置９０を接続したものである。即ち、９１は捕集パイプ、９２は排水案内筒部、９３はスクリュウ、９４は濃縮パイプ、９５は回転ブラシ装置、９６は駆動源であり、捕集パイプ９１の内周に付着した微小プラスチックは定期的にブラシ９５で除去されるとともにスクリュウ９３で濃縮されて下向きに排出されコンベア９８で次の焼却場に搬送される一方、捕集パイプ９１を通過した水は矢印のように外部である河川や塩素混和地など次の処理行程に持ち込まれる。池内で捕集されたものを除去する場合、水面８４を下げて除去作業しやすくなるようにしてもよい。
【００３１】  図１８は円形沈澱池の捕集装置についての他の実施形態を示すもので、バッフルプレート８３と越流堰８２との下端間に第２プレフィルター１１０を設けるとともに池外に終捕集装置９０を設けたものにおいて、池内を周回するところには第１プレフィルター１１１を設けて微細ゴミ・スカム・フロス（微細スカム）などを先に捕集してあとの終捕集装置９０での微小プラスチックの目詰まりを防止するようにしたものである。第１プレフィルター１１１は、網状のもので、スクレーパアーム７９とレーキ７８との間に渡した連結支柱１１２に設けられ、微細ゴミ・スカム・フロス（微細スカム）などを浮遊確率の高い流域に対応して捕集しやすくなるようにしてある。
【００３２】  図１９および図２０は付加的な提案例を示す。１１５は河川で、この河川１１５の一側部には、河川１１５の一側端との間に規定水路１１６を形成するための流れ規定部材１１７が設けられており、その規定水路１１６に流れを絞り微細ゴミなどを送り込むためにその上流側には斜行フロート１１８を設け、その下部に河川流の一部を通過させ一部は規定水路１１６の方向に誘導するようにするすだれ状の流れ制御材１１９をぶら下げて取り付けてある。
流れ制御材１１９の前方水域に対応してゴミ類を浮上させて規定水路１１６側に導くためのエアー噴出パイプ１２０を設置してある。
【００３３】  規定水路１１６内には、上流側から粗目・中目・細目のプレフィルター１２２，１２３，１２４が配列され、これによって微細ゴミ・スカム・フロス（微細スカム）などが順次捕集されるようになっている。１２６は微小プラスチックの捕集装置で、上流側のＶ字形前受板１２７と下流側の逆Ｖ字形通水式後受板１２８とによって前後に軸中心をもつ装置として支持されている。
【００３４】  捕集装置１２６において、１３０は捕集パイプ、１３２はスクリュウ、１３３は濃縮パイプ、１３４は回転ブラシ装置、１３５は駆動羽根であり、捕集パイプ１３０の内周に付着した微小プラスチックは定期的にブラシ１３４で除去されるとともにスクリュウ１３２で濃縮されて下流側に排出され次の焼却場１３６に搬送される一方、捕集パイプ１３０を通過した水は矢印のように通水式後受板１２８を通じて河川放流あるいは水道水用として利用可能なきれいな水として下流方向に流出するようになっている。前記では規定水路１１６は一側の流れ規定部材１１７と河川脇とによって作られていたが、図１９右欄のように縦長状で双胴型の左右流れ規定部材１３７により形成してもよい。
【００３５】  図２１は池内の浄化システムを示すもので、１４０は所定の池で、上からみると円形であるが楕円や長円あるいは矩形など形状は問わない。この池１４０内の一側部には、池１４０の内周縁との間に規定水路１４１を形成するための円弧状流れ規定部材１４２が設けられており、その規定水路１４１に流れを絞り池内浮遊物である微細ゴミなどを取り込みやすくするためにその上流側には斜行ガイド１４３を設けてある。
池１４０内の他の個所には、流れを規制する水流ポンプ１４５が設置されるとともに、その周方向異なる個所である規定水路１４１入口手前Ｉには、ゴミ類を浮上させて規定水路１４１側に導くためのエアー噴出パイプ１４６が設置されている。
【００３６】  規定水路１４１内には、上流側から粗目・中目・細目のプレフィルター１４７，１４８，１４９が配列され、これによって微細ゴミ・スカム・フロス（微細スカム）などが順次捕集されるようになっている。１５０は微小プラスチックの捕集装置で、上流側のＶ字形前受板１５１と下流側の逆Ｖ字形通水式後受板１５２とによって前後に軸中心をもつ装置として支持されている。
【００３７】  捕集装置１５０において、１５４は回転ブラシ付き捕集パイプ、１５５はスクリュウ付き濃縮パイプ、１５６は駆動羽根であり、捕集パイプ１５４の内周に付着した微小プラスチックは定期的にブラシで除去されるとともにスクリュウで濃縮されて下流側に排出され次の焼却場１５７に搬送される一方、捕集パイプ１５４を通過した水は矢印のように通水式後受板１５２を通じて池内循環流として流出するようになっている。
【００３８】  図２２は微細スカムであるフロス分離浄水化システムについての付加的な提案例を示すもので、１６０は処理槽で、その中央には終沈微細スカムを投入する投入パイプ１６１が設けられ、その出口周りには緩衝器１６２が設けられてエアーレーション１６３などを介して投入物からフロスを有効に浮上分離させて濃縮排除させる一方定期的に投入されるバイオにより分解された汚泥を槽底に沈澱させ定期的にポンプ引抜を行って終沈汚泥ピットへと搬送するようにしている。
【００３９】  分離水は槽１６０の側部に設けた分離処理経路１６５を通じて排出されるが、ここで、その出口パイプ１６６には捕集装置１６７が接続されて微小プラスチックが捕集され水もさらにきれいなものとして排出されるようになっている。捕集装置１６７は、ブラシ装置１６８付き捕集パイプ１６９・スクリュウ１７０付き濃縮パイプ１７１を備えて濃縮パイプ１７１からは捕集・濃縮した微小プラスチックなどが排出されて焼却処理されるようにされまた排水案内筒部１７２からはきれいな水が排出されて次の河川とか水道水とかに利用されるようになっている。
【符号の説明】
【００４０】  １…矩形沈澱池  ２…側壁  ３，４…端壁  ５…底壁  ６…ピット  ８…汚泥掻寄手段  ９…水面  １０…スカム除去手段  ４０…微小プラスチック捕集装置（手段）  ４１…捕集パイプ  ５２，５９…除去装置（除去手段）。
【図１】
2020069466.tif 000003
【図２】
2020069466.tif 000004
【図３】
2020069466.tif 000005
【図４】
2020069466.tif 000006
【図５】
2020069466.tif 000007
【図６】
2020069466.tif 000008
【図７】
2020069466.tif 000009
【図８】
2020069466.tif 000010
【図９】
2020069466.tif 000011
【図１０】
2020069466.tif 000012
【図１１】
2020069466.tif 000013
【図１２】
2020069466.tif 000014
【図１３】
2020069466.tif 000015
【図１４】
2020069466.tif 000016
【図１５】
2020069466.tif 000017
【図１６】
2020069466.tif 000018
【図１７】
2020069466.tif 000019
【図１８】
2020069466.tif 000020
【図１９】
2020069466.tif 000021
【図２０】
2020069466.tif 000022
【図２１】
2020069466.tif 000023
【図２２】
2020069466.tif 000024